(57)【要約】【課題】  上用紙のシート表面の一部に顕色剤を塗布することで中用紙を低コストで製造することができ、かつ中用紙を切り離して感圧複写紙として使用することができる感圧複写シートを提供する。【解決手段】  感圧複写シート１では、台紙裏面２ｂ全体に発色剤１１が塗布された上用紙５を基にその表面２ａの一部に顕色剤１２を塗布したことで、従来の中用紙を使用するよりも低コストで中用紙を製造して使用することができる。また、感圧複写シート１にミシン目３０を形成したことにより、１枚のシートから複数枚の感圧複写紙を得ることができ、感圧複写紙の製造コストを抑えることができる。【選択図】  図２
2006076273.tif 000002
【特許請求の範囲】
【請求項１】
裏面全体に発色剤が塗布され、切り離し可能な状態に分割された任意の偶数枚の感圧複写紙を備えた感圧複写シートであって、
前記偶数枚の感圧複写紙の内、一枚を除く他の感圧複写紙の表面には顕色剤が塗布されており、
各感圧複写紙を切り離し後、顕色剤が塗布されていない感圧複写紙を最上位とし、以下発色剤と顕色剤とが対向するように他の感圧複写紙を順次下位に配置して積層させて、前記最上位の感圧複写紙の表面に圧力を加えて情報を入力することで、下位の各感圧複写紙の表面に前記情報が複写されるようにしたことを特徴とする感圧複写シート。
【請求項２】
裏面全体に発色剤が塗布され、切り離し可能な状態に分割された任意の偶数枚の感圧複写紙を備えた感圧複写シートであって、
前記偶数枚の感圧複写紙の内、その半数の感圧複写紙の表面には顕色剤が塗布されており、
各感圧複写紙を切り離し後、表面に顕色剤が塗布されていない感圧複写紙と顕色剤が塗布された感圧複写紙とをペアとして、前者を上位に、後者を下位にそれぞれ配置して発色剤と顕色剤とが対向するように積層させて、前記上位の感圧複写紙の表面に圧力を加えて情報を入力することで、下位の各感圧複写紙の表面に前記情報が複写されるようにしたことを特徴とする感圧複写シート。
【請求項３】
前記各感圧複写紙はそれぞれ等しい表面積を有し、その表面には前記情報が入力される枠、罫線等の情報入力領域が形成され、該情報入力領域が、前記複数枚の感圧複写紙を切り離し後に積層させたときに、平面紙で重なる位置に配置されていることを特徴とする請求項１または２に記載の感圧複写シート。
【発明の詳細な説明】
【技術分野】
【０００１】  本発明は感圧複写シートに関し、詳細には、裏面全体に発色剤が塗布され、切り離し可能な状態に分割された複数枚の感圧複写紙を備えた感圧複写シートに関する。
【背景技術】
【０００２】  従来から、裏面に発色剤（マイクロカプセル等）が塗布された上用紙、表裏面にそれぞれ発色剤、顕色剤（顕色剤塗料、顕色剤インキ等）が塗布された中用紙および表面に顕色剤が塗布された下用紙から構成され、上用紙表面への筆圧等により中用紙および下用紙の各表面に複写がなされるノーカーボン複写紙が知られている。また、表面または裏面の全面に発色剤もしくは顕色剤を塗布するのではなく、例えば紙の表面半分に発色剤を、表面の残りの部分に顕色剤を塗布して、この紙を、発色剤塗布領域と顕色剤塗布領域とが対向するように両領域の境界部で折り曲げて、発色剤塗布領域の裏側に筆圧をかけることによって、該発色剤塗布領域の裏側に記入された情報が発色剤塗布領域の表側に複写されるようにした複写紙、具体的には不在連絡票組も開示されている（特許文献１参照）。
【特許文献１】    特開平１０−１５７３３４号公報
【発明の開示】
【発明が解決しようとする課題】
【０００３】  しかしながら、上記特許文献１に係る発明の不在連絡票組では、発色剤塗布領域と顕色剤塗布領域とが対向するように両領域の境界部で折り曲げたときに、発色剤塗布領域裏側の情報記入部、記入欄等が、発色剤塗布領域表側の情報記入部、記入欄等と確実に重なり合う必要があるため、各面においてそれら情報記入部、記入欄等の印刷位置に高い精度が要求されるという問題があった。また、この不在連絡票組を製造する際には、発色剤および顕色剤が塗布されていない一般的な用紙に発色剤や顕色剤を塗布しなければならないので、製造コストが高くなるという問題があった。【０００４】  本発明は、上記課題を解決するためになされたものであり、上用紙のシート表面の一部に顕色剤を塗布することで中用紙を低コストで製造することができ、かつ中用紙を切り離して感圧複写紙として使用することができる感圧複写シートを提供することを目的とする。
【課題を解決するための手段】
【０００５】  上記目的を達成するために、請求項１に記載の感圧複写シートは、裏面全体に発色剤が塗布され、切り離し可能な状態に分割された任意の偶数枚の感圧複写紙を備えたものであって、前記偶数枚の感圧複写紙の内、一枚を除く他の感圧複写紙の表面には顕色剤が塗布されており、各感圧複写紙を切り離し後、顕色剤が塗布されていない感圧複写紙を最上位とし、以下発色剤と顕色剤とが対向するように他の感圧複写紙を順次下位に配置して積層させて、前記最上位の感圧複写紙の表面に圧力を加えて情報を入力することで、下位の各感圧複写紙の表面に前記情報が複写されるようにしたことを特徴とする。【０００６】  また、請求項２に記載の感圧複写シートは、裏面全体に発色剤が塗布され、切り離し可能な状態に分割された任意の偶数枚の感圧複写紙を備えたものであって、前記偶数枚の感圧複写紙の内、その半数の感圧複写紙の表面には顕色剤が塗布されており、各感圧複写紙を切り離し後、表面に顕色剤が塗布されていない感圧複写紙と顕色剤が塗布された感圧複写紙とをペアとして、前者を上位に、後者を下位にそれぞれ配置して発色剤と顕色剤とが対向するように積層させて、前記上位の感圧複写紙の表面に圧力を加えて情報を入力することで、下位の各感圧複写紙の表面に前記情報が複写されるようにしたことを特徴とする。【０００７】  また、請求項３に記載の感圧複写シートでは、請求項１または２に記載の感圧複写シートの構成に加えて、前記各感圧複写紙はそれぞれ等しい表面積を有し、その表面には前記情報が入力される枠、罫線等の情報入力領域が形成され、該情報入力領域が、前記複数枚の感圧複写紙を切り離し後に積層させたときに、平面紙で重なる位置に配置されていることを特徴とする。
【発明の効果】
【０００８】  本発明に係る感圧複写シートは、その裏面全体に発色剤が塗布されており、切り離し可能な状態に分割された任意の偶数枚の感圧複写紙の内、一枚を除く他の感圧複写紙の表面には顕色剤が塗布されており、各感圧複写紙を切り離し後、顕色剤が塗布されていない感圧複写紙を最上位とし、以下発色剤と顕色剤とが対向するように他の感圧複写紙を順次下位に配置して積層させて、最上位の感圧複写紙の表面に圧力を加えて情報を入力することで下位の各感圧複写紙の表面に情報が複写されるようにした。従って、予め表面および裏面にそれぞれ発色剤、顕色剤が塗布された中用紙を用いることなく、シートの裏面全体に発色剤が塗布された紙、即ち上用紙の表面に顕色剤を塗布するという簡単な加工を施すだけで中用紙と同様に扱うことができ、複写紙の製造コストを大幅に低減することができる。【０００９】  また、切り離し可能な状態に分割された任意の偶数枚の感圧複写紙の内、その半数の感圧複写紙の表面に顕色剤を塗布した場合、各感圧複写紙を切り離し後、表面に顕色剤が塗布されていない感圧複写紙と顕色剤が塗布された感圧複写紙とをペアとして、前者を上位に、後者を下位にそれぞれ配置して発色剤と顕色剤とが対向するように積層させて、上位の感圧複写紙の表面に圧力を加えて情報を入力することで、下位の各感圧複写紙の表面に情報が複写されるようにすることができる。また、各感圧複写紙をそれぞれ等しい表面積としたことにより、各感圧複写紙表面において情報が入力される枠、罫線等の情報入力領域を同位置、詳細には複数枚の感圧複写紙を切り離し後に積層させたときに平面紙で重なる位置に配置し易くなる。また、各感圧複写紙表面にて情報入力領域を同位置に配置したことにより、感圧複写紙を積層させて最上位の感圧複写紙の表面に情報を記入したときに、この情報が他の感圧複写紙にて確実に同じ位置に複写されることになる。
【発明を実施するための最良の形態】
【００１０】  以下、本発明を具体化した感圧複写シートの一実施形態について図を参照して説明する。まず、図１および図２を参照して、感圧複写シート１の全体構造について説明する。ここで、図１は、感圧複写シート１の平面図であり、図２は、図１におけるＡ−Ａ線矢視方向断面図である。尚、図２は感圧複写シート１の断面構造を模式的に示したものであり、台紙の厚さに対して発色剤および顕色剤の厚さを誇張して示してある。図１および図２に示すように、感圧複写シート１は所定厚を有する長方形状であり、その台紙２の裏面２ｂ全体にマイクロカプセル等の発色剤１１が塗布された上用紙５を基に製造されている。尚、この感圧複写シート１には、インクジェットプリンタ、レーザプリンタおよび熱転写プリンタで印刷を施すことが可能である。【００１１】  また、上用紙５の対向する一対の各長辺の中央部間に渡って直線状のミシン目３０が形成され、このミシン目３０を境に、上用紙５の台紙２の表面２ａにおける図中左側の領域には全体的に顕色剤塗料、顕色剤インキ等の顕色剤１２が塗布されている。また、感圧複写シート１はミシン目３０にて切り離し可能になっており、ミシン目３０を境に図中右側には、台紙２と該台紙２の裏面２ｂに全体的に塗布された発色剤１１とで上用紙部分１５が形成されており、図中左側には、台紙２と、該台紙２の表面２ａに全体的に塗布された顕色剤１２と、台紙２裏面２ｂに全体的に塗布された発色剤１１とで中用紙部分１６が形成されている。即ち、感圧複写シート１はミシン目３０を境に左右に二等分されており、ミシン目３０で切り離した右側部分が従来の感圧複写紙の上用紙に、左側の部分が従来の感圧複写紙の中用紙にそれぞれ相当している。尚、上用紙部分１５、中用紙部分１６は、それぞれ請求項における感圧複写紙に相当する。【００１２】  そして、感圧複写シート１の使用時には、図２および図３に示すように、ミシン目３０を境に左右各部分を切り離して、切り離された左側の中用紙部分１６を下側に、右側の上用紙部分１５を上側に配置して両者を積層させる。このとき、中用紙部分１６の台紙２表面２ａに塗布された顕色剤１２と、上用紙部分１５の台紙２裏面２ｂに塗布された発色剤１１とが対向して隣接した状態となるので、上用紙部分１５の台紙２表面２ａへ筆圧がかけられて情報が記入されると、その情報が中用紙部分１６の表面側に複写されることになる。【００１３】  次に、図４を参照して、本実施形態の感圧複写シート１の具体的な使用例について説明する。例えば、企業における定期的な社員評価の際に、被評価者である社員が、自身の直属の上司および自身の属する部門の部門長等と面接するということが一般的に行われている。面接から評価までの過程においては、前記上司および部門長（一次評価者）は独自の所感（一次情報）を自身の面接用紙にそれぞれ記入して、各自が面接用紙を人事部門等の面接結果の統括部門（二次評価者）に提出することになるが、最終的に統括部門の総合所感（二次情報）が記入された面接用紙が前記上司および部門長等の全員に配布（フィードバック）されることがある。即ち、このような場合、前記上司および部門長等の各自は、自身の所感（一次情報）が記入され、統括部���の総合所感（二次情報）が記入もしくは複写された面接用紙を受け取ることになる。【００１４】  上記のような場合において面接用紙を作成するのに、本発明に係る感圧複写シートを好適に用いることができる。具体的には、図４に示すように、上述した感圧複写シート１の上用紙部分１５の台紙表面２ａと、中用紙部分１６の台紙表面２ａとに、それぞれ情報を記入すべき同一形状の枠を印刷等によって形成することで、上記面接用紙を作成することができる。ここで、上、中用紙各部分の台紙表面に枠が作成されたものを感圧複写シート１と区別するために感圧複写シート５０とする。感圧複写シート５０は、ミシン目３０を挟んで左右にそれぞれ一次評価者である課長および部長記入用の各面接用紙を備えており、これら面接用紙が、係長を評価するための面接の際に使用されることになる。尚、感圧複写シート５０では、感圧複写シート１において中用紙部分１６に相当した部分を課長用面接用紙１６０とし、上用紙部分１５に相当した部分を部長用面接用紙１５０としており、これら両面接用紙１５０，１６０は同一の形状および面積を有している。【００１５】  感圧複写シート５０では、課長用面接用紙１６０の台紙表面２ａに一次情報（課長の所感）を入力するための一次情報入力枠１２０が、部長用面接用紙１５０の台紙表面２ａに一次情報（部長の所感）を入力するための一次情報入力枠１１０がそれぞれ形成されている。これら一次情報入力枠１１０，１２０は、同一形状でかつ同一の配置となるように形成されており、両者は実質的に全く同じものとなっている。また、一次情報入力枠１１０，１２０の直上には、被評価者の部署名、役職名（この場合は係長）、氏名等の情報が記載される共通の個人情報枠２００がそれぞれやはり同一配置となるように形成されている。ここで、詳しく図示しないが、個人情報枠２００内には上記情報の他に被評価者の基本給や面接以前の昇給額が記載される部分が設けられており、このような他の社員が容易に知り得ることができない情報は、評価者の役職によってはその面接用紙に予め記入されていないこともある。【００１６】  また、一次情報入力枠１１０，１２０の直下には、人事部門等の面接結果の統括部門（二次評価者）が、上記一次評価者の所感（一次情報）に基づいて統括部門としての総合所感（二次情報）を記入するための共通の二次情報入力枠１３０がそれぞれ同配置となるように形成されている。さらに、この二次情報記入枠１３０の直下には、被評価者の総合評価、昇給額等を記入する結果記入枠１４０が形成されている。【００１７】  そして、図示しない課長および部長は、ミシン目３０で分断された各々の面接用紙を受け取り、係長との面接後にそれぞれ各自の一次情報記入枠１１０，１２０内に自らの所感を記入して、その面接用紙を統括部門（二次評価者）に提出する。その後、統括部門（二次評価者）は、一次情報に基づいて統括部門としての総合所感（二次情報）を各面接用紙の二次情報入力枠１３０内に記入する。このとき統括部門では、上用紙である部長用面接用紙１５０を上側に、中用紙である課長用面接用紙１６０を下側にそれぞれ配置して、部長用面接用紙１５０の二次情報記入枠１３０内にのみ二次情報を記入す��ば、該二次情報は課長用面接用紙１６０の二次情報記入枠１３０内に複写されることになる。そして、二次情報が記入された各面接用紙はそれぞれ各評価者の元に返却されることになる。各面接用紙には二次情報が記入もしくは複写されているので、各評価者は統括部門が被評価者に対して総合的にどのような評価をしたのかを知ることができる。各評価者に対してこのように二次情報を展開（伝達）することにより、従来のように総合所感を記入した用紙を別個にして新たに各評価者に配布する必要がなく、用紙に二次情報を記入もしくは印刷する手間を省くことができると共に、無駄な用紙が発生するのを防止することができる。【００１８】  以上説明したように、本実施形態の感圧複写シート１では、裏面全体に発色剤が塗布された上用紙を基にその表面に顕色剤を塗布したことで、従来の中用紙を使用するよりも低コストで中用紙を製造して使用することができる。また、感圧複写シート１にミシン目３０を形成したことにより、１枚のシートから複数枚の感圧複写紙を得ることができ、感圧複写紙の製造コストを抑えることができる。また、ミシン目によって分割された一部の領域には顕色剤を塗布しないことにより、この顕色剤が塗布されていない領域を上用紙として他の中用紙の上側に重ねて、上用紙への記入事項を各中用紙へ複写させることができる。また、複数の記入者がそれぞれ異なる一次情報を入力した紙を集めて、それら複数枚の紙に共通の情報を入力して、さらにその情報が複写された紙を上記記入者にそれぞれ配布するような用途においては、本実施形態の感圧複写シート１を好適に用いることができる。【００１９】  尚、本発明は上記実施の形態に限定されるものではなく、各種の変形が可能である。例えば、本実施形態では、１枚の感圧複写シートを１本のミシン目で２等分割したが、シートの分割数はこれに限られず偶数枚という条件下でかつ複写が可能な限り増やすことが可能である。例えば、図５に示すように、裏面全体に発色剤が塗布された感圧複写シート３００において、その中心部で直交する２本のミシン目３３０を形成してシートを４分割してもよい。この場合、４分割された各領域３０１〜３０４の内、領域３０１を除く他の３つの領域の表面に顕色剤を塗布しておき、各領域を切り離し後に領域３０１を上用紙として使用することによって、領域３０１の表面に筆圧を加えて入力した情報を他の３つの領域の表面に複写させることができる。【００２０】  また、詳しく図示しないが、４分割された各領域３０１〜３０４の内、その半数である２つの領域の表面に顕色剤を塗布し、顕色剤が塗布された領域と塗布されていない領域とでペア（２つのペア）を形成して、各ペアにて顕色剤が塗布された領域の表面に複写が行われるようにすることもできる。尚、分割された領域の内、半数の表面に顕色剤を塗布してペアを形成し、各ペアにてそれぞれ複写を行う場合はシートの分割数は限定されないが、分割された複数の複写紙の内、１枚を除く他の複写紙の表面に顕色剤を塗布する場合、即ち複数枚の複写紙に複写を行う場合は、筆圧にもよるが、複写される側の複写紙は一般的には５〜６枚程度にすることが望ましい。さらに、本実施形態では、シートの表面に情報入力用��枠を形成したが、罫線等、枠以外のものを形成してもよい。加えて、感圧複写シートを分割する手段を、ミシン目ではなく所定のピッチを空けて形成されたスリット等の他のものとしてもよい。
【図面の簡単な説明】
【００２１】
【図１】  感圧複写シート１の平面図である。
【図２】  図１におけるＡ−Ａ線矢視方向断面図である。
【図３】  感圧複写シート１の使用形態を示す側面図である。
【図４】  本発明の具体的な実施例を示す感圧複写シート５０の平面図である。
【図５】  本発明の変形例である感圧複写シート３００を示す平面図である。
【符号の説明】
【００２２】      １    感圧複写シート
２    台紙
２ａ    表面
２ｂ    裏面
１１    発色剤
１２    顕色剤
１５    上用紙部分
１６    中用紙部分
３０    ミシン目
５０    感圧複写シート
１１０    一次情報記入枠
１２０    一次情報記入枠
１３０    二次情報記入枠
１４０    結果記入枠
【図１】
2006076273.tif 000003
【図２】
2006076273.tif 000004
【図３】
2006076273.tif 000005
【図４】
2006076273.tif 000006
【図５】
2006076273.tif 000007